(57)【要約】【課題】  ディジタルカメラを外部で認識したり外部から設定することができ、ディジタルカメラの撮影機能の制限／非制限を設定することができるようにする。【解決手段】  機能制限処理では、美術館の入口にて、来館者が所持しているＩＣタグ付きディジタル撮影装置にＩＣタグリーダライタをかざし、ＩＣタグからステータス情報を読み込む。そして、読み取ったステータス情報を課金登録サーバに送信する。課金登録サーバは、受信したステータス情報からディジタル撮影装置管理情報を参照し、課金されておらず撮影可否が「否」であると判定したときは、来館者によって機能制限実行ボタンが選択されると、機能制限を実施させるために「機能制限信号」を送信する。ディジタル撮影装置は、「機能制限信号」の受信に応じて、送信機能制限を実施する。すなわち、シャッター機能とフラッシュ機能とをともにオフ状態にするための設定を行う。【選択図】  図９
2006148534.tif 000002
【特許請求の範囲】
【請求項１】
被写体を撮影するためのディジタル撮影機能部を有するディジタル撮影装置であって、
ディジタル撮影装置の外部との通信を行う通信処理部と、ディジタル撮影装置の状態を示す装置状態情報を記憶する状態情報記憶部とを有するＩＣタグ機能部を備え、
前記装置状態情報は、ディジタル撮影装置を一意に識別するための個体識別情報と、前記ディジタル撮影機能部による撮影機能の制限状態を含む撮影規制情報と、を含み、
前記ＩＣタグ機能部は、ディジタル撮影装置の外部からの情報取得要求に応じて前記通信処理部により前記装置状態情報を送信し、前記通信処理部が受信したディジタル撮影装置の外部からの撮影規制情報変更指示信号に応じて、前記状態情報記憶部に記憶されている前記撮影規制情報を変更し、
前記ディジタル撮影機能部は、撮影規制情報変更指示信号に応じて、前記ＩＣタグ機能部による撮影規制情報の変更に応じた撮影機能の制限状態の設定変更を行う
ことを特徴とするディジタル撮影装置。
【請求項２】
撮影規制情報変更指示信号は、撮影機能の制限を指示する機能制限信号と、前記撮影機能の制限の解除を指示する機能制限解除信号とを含み、
ＩＣタグ機能部は、
通信処理部が前記機能制限信号を受信したことに応じて、撮影規制情報を、撮影機能が制限されていることを示す撮影規制中情報に変更し、
前記通信処理部が前記機能制限解除信号を受信したことに応じて、前記撮影規制情報を、撮影機能が制限されていないことを示す撮影規制解除中情報に変更し、
ディジタル撮影機能部は、
前記機能制限信号に応じて、撮影機能の制限を設定し、
前記機能制限解除信号に応じて、撮影機能の制限を解除する
請求項１記載のディジタル撮影装置。
【請求項３】
撮影規制情報は、ディジタル撮影機能部によるシャッター機能の制限状態を示すシャッター機能制限状態情報と、ディジタル撮影機能部によるフラッシュ機能の制限状態を示すフラッシュ機能制限状態情報とを含み、
機能制限信号は、シャッター機能の制限を指示するシャッター機能制限信号と、フラッシュ機能の制限を指示するフラッシュ機能制限信号とを含み、
機能制限解除信号は、シャッター機能の制限の解除を指示するシャッター機能制限解除信号と、フラッシュ機能の制限の解除を指示するフラッシュ機能制限解除信号とを含み、
ＩＣタグ機能部は、
通信処理部が前記フラッシュ機能制限信号を受信したことに応じて、撮影規制情報を、フラッシュ機能が制限されていることを示すフラッシュ機能制限中情報に変更し、
前記通信処理部が前記フラッシュ機能制限解除信号を受信したことに応じて、撮影規制情報を、フラッシュ機能が制限されていないことを示すフラッシュ機能制限解除中情報に変更し、
前記通信処理部が前記シャッター機能制限信号を受信したことに応じて、撮影規制情報を、シャッター機能が制限されていることを示すフラッシュ機能制限中情報に変更し、
前記通信処理部が前記シャッター機能制限解除信号を受信したことに応じて、前記撮影規制情報を、シャッター機能が制限されていないことを示すシャッター機能制限解除中情報に変更し、
ディジタル撮影機能部は、
前記フラッシュ機能制限信号に応じて、フラッシュ機能の制限を設定し、
前記フラッシュ機能制限解除信号に応じて、フラッシュ機能の制限を解除し、
前記シャッター機能制限信号に応じて、シャッター機能の制限を設定し、
前記シャッター機能制限解除信号に応じて、シャッター機能の制限を解除する
請求項２記載のディジタル撮影装置。
【請求項４】
通信処理部は、ディジタル撮影機能部による撮影機能の制限状態の設定変更が完了したことに応じて、その旨を示す変更完了信号を外部に送信する
請求項１から請求項３のうちいずれかに記載のディジタル撮影装置。
【請求項５】
通信処理部は、ＩＣタグ機能部が有する状態情報記憶部に情報を読み書きするＩＣタグリーダライタとの間で無線通信による通信を行い、前記装置状態情報をディジタル撮影装置の外部で管理する装置状態情報管理装置との間で前記ＩＣタグリーダライタを介して通信を行う
請求項１から請求項４のうちいずれかに記載のディジタル撮影装置。
【請求項６】
ＩＣタグ機能部が有する状態情報記憶部に記憶された装置状態情報を表示する情報表示部を備えた
請求項１から請求項５のうちいずれかに記載のディジタル撮影装置。
【請求項７】
ディジタル撮影装置を管理するディジタル撮影装置管理装置であって、
前記ディジタル撮影装置は、ディジタル撮影装置管理装置との間で通信を行うための通信処理部とディジタル撮影装置の状態を示す装置状態情報を記憶する状態情報記憶部とを有するＩＣタグ機能部と、被写体を撮影するためのディジタル撮影機能部とを有し、
前記装置状態情報は、ディジタル撮影装置を一意に識別するための個体識別情報と、前記ディジタル撮影機能部による撮影機能の制限状態を含む撮影規制情報と、を含み、
前記状態情報記憶部に記憶された装置状態情報を取得する装置状態情報取得手段と、
前記装置状態情報取得手段によって取得された装置状態情報に含まれる個体識別情報が未登録であったことにもとづいて、当該取得された装置状態情報を含む管理装置側装置状態情報を登録する装置登録手段と、
前記管理装置側装置状態情報を記憶する管理装置側装置状態情報記憶手段と、
課金希望を受けたことに応じて、前記管理装置側装置状態情報に含まれる課金状態を示す課金情報を課金済に変更する課金登録手段と、
前記課金情報が示す課金状態に応じて撮影を許容するか否かを判定する撮影許容判定手段と、
前記撮影規制情報に応じて撮影機能が制限されているか否かを判定する機能制限判定手段と、
前記撮影規制情報を変更させるとともに、前記ディジタル撮影機能部に撮影機能の制限状態の設定変更を実行させるための撮影規制情報変更指示信号を送信する規制変更指示手段と、を備え、
前記規制変更指示手段は、前記撮影許容判定手段の判定結果または前記機能制限判定手段の判定結果に応じて撮影規制情報変更指示信号を送信する
ことを特徴とするディジタル撮影装置管理装置。
【請求項８】
撮影規制情報変更指示信号は、撮影機能の制限を指示する機能制限信号と、前記撮影機能の制限の解除を指示する機能制限解除信号とを含み、
規制変更指示手段は、
撮影許容判定手段が撮影を許容しないことに判定したことにもとづいて、前記機能制限信号を送信し、
機能制限判定手段が撮影機能が制限されていると判定したことにもとづいて、前記機能制限解除信号を送信し、
ディジタル撮影装置のＩＣタグ機能部は、
通信処理部が前記機能制限信号を受信したことに応じて、撮影規制情報を、撮影機能が制限されていることを示す撮影規制中情報に変更し、
前記通信処理部が前記機能制限解除信号を受信したことに応じて、前記撮影規制情報を、撮影機能が制限されていないことを示す撮影規制解除中情報に変更し、
前記ディジタル撮影装置のディジタル撮影機能部は、
前記機能制限信号に応じて、撮影機能の制限を設定し、
前記機能制限解除信号に応じて、撮影機能の制限を解除する
請求項７記載のディジタル撮影装置管理装置。
【請求項９】
装置状態情報取得手段は、課金済であることを条件にディジタル撮影装置による撮影が許容される所定の施設にディジタル撮影装置を所持したユーザが入場する際に、当該ディジタル撮影装置が有する状態情報記憶部に記憶された装置状態情報を取得し、
撮影許容判定手段は、前記装置状態情報取得手段によって取得された装置状態情報に含まれる個体識別情報を含む管理装置側装置状態情報を読み出し、読み出した管理装置側装置状態情報に含まれている課金状態が示す課金情報が課金済でなかったときに、ディジタル撮影装置による撮影を許容しないと判定する
請求項８記載のディジタル撮影装置管理装置。
【請求項１０】
装置状態情報取得手段は、ディジタル撮影装置を所持したユーザが所定の施設から退場する際に、当該ディジタル撮影装置が有する状態情報記憶部に記憶された装置状態情報を取得し、
機能制限判定手段は、前記装置状態情報取得手段によって取得された装置状態情報に含まれる撮影規制情報が撮影規制中情報であったときに、撮影機能が制限されていると判定する
請求項８または請求項９記載のディジタル撮影装置管理装置。
【請求項１１】
各管理装置側装置状態情報に含まれる各撮影規制情報にもとづいて、ディジタル撮影装置による撮影が許容された状態で入場しているユーザの数と、ディジタル撮影装置による撮影が禁止された状態で入場しているユーザの数とを含む来館者数情報を導出する導出手段を含む
請求項７から請求項１０のうちいずれかに記載のディジタル撮影装置管理装置。
【請求項１２】
ディジタル撮影装置を管理するディジタル撮影装置管理方法であって、
前記ディジタル撮影装置は、ディジタル撮影装置管理装置との間で通信を行うための通信処理部とディジタル撮影装置の状態を示す装置状態情報を記憶する状態情報記憶部とを有するＩＣタグ機能部と、被写体を撮影するためのディジタル撮影機能部とを有し、
前記装置状態情報は、ディジタル撮影装置を一意に識別するための個体識別情報と、前記ディジタル撮影機能部による撮影機能の制限状態を含む撮影規制情報と、を含み、
前記ディジタル撮影装置管理装置は、
前記状態情報記憶部に記憶された装置状態情報を取得し、
取得した装置状態情報に含まれる個体識別情報が未登録であったことにもとづいて、当該取得した装置状態情報を含む管理装置側装置状態情報を管理装置側装置状態情報記憶手段に登録し、
課金希望を受けたことに応じて、前記管理装置側装置状態情報に含まれる課金状態を示す課金情報を課金済に変更し、
前記課金情報が示す課金状態に応じて撮影を許容するか否かを判定し、
前記撮影規制情報に応じて撮影機能が制限されているか否かを判定し、
撮影を許容するか否かの判定結果または撮影機能が制限されているか否かの判定結果に応じて、前記撮影規制情報を変更させるとともに、前記ディジタル撮影機能部に撮影機能の制限状態の設定変更を実行させるための撮影規制情報変更指示信号を送信する
ことを特徴とするディジタル撮影装置管理方法。
【請求項１３】
撮影規制情報変更指示信号は、撮影機能の制限を指示する機能制限信号と、前記撮影機能の制限の解除を指示する機能制限解除信号とを含み、
ディジタル撮影装置管理装置は、
撮影を許容しないことに判定したことにもとづいて、前記機能制限信号を送信し、
撮影機能が制限されていると判定したことにもとづいて、前記機能制限解除信号を送信し、
ディジタル撮影装置のＩＣタグ機能部は、
通信処理部が前記機能制限信号を受信したことに応じて、撮影規制情報を、撮影機能が制限されていることを示す撮影規制中情報に変更し、
前記通信処理部が前記機能制限解除信号を受信したことに応じて、前記撮影規制情報を、撮影機能が制限されていないことを示す撮影規制解除中情報に変更し、
前記ディジタル撮影装置のディジタル撮影機能部は、
前記機能制限信号に応じて、撮影機能の制限を設定し、
前記機能制限解除信号に応じて、撮影機能の制限を解除する
請求項１２記載のディジタル撮影装置管理方法。
【請求項１４】
ディジタル撮影装置をディジタル撮影装置管理装置に管理させるためのディジタル撮影装置管理プログラムであって、
前記ディジタル撮影装置は、ディジタル撮影装置管理装置との間で通信を行うための通信処理部とディジタル撮影装置の状態を示す装置状態情報を記憶する状態情報記憶部とを有するＩＣタグ機能部と、被写体を撮影するためのディジタル撮影機能部とを有し、
前記装置状態情報は、ディジタル撮影装置を一意に識別するための個体識別情報と、前記ディジタル撮影機能部による撮影機能の制限状態を含む撮影規制情報と、を含み、
前記ディジタル撮影装置管理装置に、
前記状態情報記憶部に記憶された装置状態情報を取得するステップと、
取得した装置状態情報に含まれる個体識別情報が未登録であったことにもとづいて、当該取得した装置状態情報を含む管理装置側装置状態情報を管理装置側装置状態情報記憶手段に登録するステップと、
課金希望を受けたことに応じて、前記管理装置側装置状態情報に含まれる課金状態を示す課金情報を課金済に変更するステップと、
前記課金情報が示す課金状態に応じて撮影を許容するか否かを判定するステップと、
前記撮影規制情報に応じて撮影機能が制限されているか否かを判定するステップと、
撮影を許容するか否かを判定結果または撮影機能が制限されているか否かの判定結果に応じて、前記撮影規制情報を変更させるとともに、前記ディジタル撮影機能部に撮影機能の制限状態の設定変更を実行させるための撮影規制情報変更指示信号を送信するステップとを
実行させるためのディジタル撮影装置管理プログラム。
【請求項１５】
撮影規制情報変更指示信号は、撮影機能の制限を指示する機能制限信号と、前記撮影機能の制限の解除を指示する機能制限解除信号とを含み、
ディジタル撮影装置管理装置に、さらに、
撮影を許容しないことに判定したことにもとづいて、前記機能制限信号を送信するステップと、
撮影機能が制限されていると判定したことにもとづいて、前記機能制限解除信号を送信するステップとを実行させ、
ディジタル撮影装置のＩＣタグ機能部は、
通信処理部が前記機能制限信号を受信したことに応じて、撮影規制情報を、撮影機能が制限されていることを示す撮影規制中情報に変更し、
前記通信処理部が前記機能制限解除信号を受信したことに応じて、前記撮影規制情報を、撮影機能が制限されていないことを示す撮影規制解除中情報に変更し、
前記ディジタル撮影装置のディジタル撮影機能部は、
前記機能制限信号に応じて、撮影機能の制限を設定し、
前記機能制限解除信号に応じて、撮影機能の制限を解除する
ことを特徴とする請求項１４記載のディジタル撮影装置管理プログラム。
【発明の詳細な説明】
【技術分野】
【０００１】
本発明は、ＩＣタグを実装したディジタル撮影装置、該ディジタル撮影装置を管理するディジタル撮影装置管理装置、ディジタル撮影装置管理方法、およびディジタル撮影装置管理プログラムに関する。
【背景技術】
【０００２】
従来から、ディジタルカメラの機能を制限するための各種の技術が提案されている（例えば、特許文献１−３参照）。
【０００３】
特許文献１および特許文献２には、文書撮影モード時に電子ズーム機能を制限することが記載されている。また、特許文献３には、オークション品における機能制限として、ディジタルカメラの機能を制限することが記載されている。
【０００４】
一方で、これまで、美術館では、館内でのフラッシュを伴う撮影について、以下のような問題を抱えていた。
【０００５】
特に歴史的価値の高い名画を展示している美術館では、写真撮影自体を禁止しているところが多い。これは、著作権保護の観点の他、撮影を許可することにより美術館が出す本が売れなくなるおそれがあることなどが要因となっている。
【０００６】
また、美術館によっては、写真撮影は可だが、フラッシュ撮影を禁じている場合もある。これは、絵画の鑑賞中のフラッシュの光が他の鑑賞者にとって迷惑となるおそれがあることや、フラッシュの強い光に含まれる紫外線を受けると絵画に使われる絵の具などの素材が劣化してしまうことなどが要因である。
【０００７】
紫外線による劣化を防止するために、太陽光が当たらないように、無紫外線の美術館用の蛍光灯を使用し、窓には紫外線を防ぐ特殊フィルムを貼って、絵画を保護するための太陽光対策を講じている美術館もある。
【０００８】
近年のカメラ付き携帯やディジタルカメラの急速な普及にともない、美術館においても、入館者の多くがディジタルカメラを所有し、ディジタルカメラによって撮影を行うことが一般的となってきている。
【０００９】
美術館では、館内でのフラッシュを伴う撮影を確実に防止するために、ディジタルカメラに代表されるディジタル撮影装置の持ち込みそのものを制限するようにしていた。
【００１０】
【特許文献１】特開２００２−２４７４３８号公報
【特許文献２】特開２００２−２４７４３０号公報
【特許文献３】特開２００４−４６６０３号公報
【発明の開示】
【発明が解決しようとする課題】
【００１１】
美術館においては、スポンサーに頼った大規模な展覧会の開催が難しくなってきており、入場料収入だけでは経営が厳しくなっている。現実に、私立の美術館の多くは閉鎖、撤退を余儀なくされている状態である。また、国公立の美術館にあっても状況は変わらず、運営が困難になっているところも多くなっている。
【００１２】
入場料以外の収入源となるような、本の販売等以外の新たなサービスの可能性が模索されていた。そのようなサービスとして、入館者に対して課金をすることによりディジタル撮影装置による撮影を許可し、課金に応じない入館者に対しては撮影機能を制限するサービスを提供することが考えられる。
【００１３】
ところが、上述した特許文献１−２に記載された技術では、ディジタルカメラを外部で認識したり外部から設定することができないので、入場者が所持しているディジタルカメラの機能の制限／非制限を設定することはできない。
【００１４】
また、上述した特許文献３に記載された技術は、オークションによる物品の売買において、売買時にディジタルカメラの機能を制限したあと落札者に送付し、入金が確認されたあとに落札者のクライアント・コンピュータからオークションサーバに接続させることで機能制限が解除されるものである。このように、特許文献３に記載された技術についても、ディジタルカメラを外部で認識したり外部から設定することができないので、入場者が所持しているディジタルカメラの機能の制限／非制限を設定することはできない。また、利用者側が機能制限や解除を行う際に、クライアント・コンピュータをオークションサーバに接続しなければならず、利用者側の負担も大きいと考えられる。
【００１５】
上記のように、ディジタルカメラを外部で認識したり外部から設定することができず、入場者が所持しているディジタルカメラの撮影機能の制限／非制限を設定することができないという課題があった。なお、ここでいう機能制限とは、電源は入るが、シャッター機能とフラッシュ機能を動作させない状態を指す。以下、「撮影機能制限」と「機能制限」とを同じ意味で用いる。
【００１６】
よって、入館者に対して課金をすることによりディジタル撮影装置による撮影を許可し、課金に応じない入館者に対しては撮影機能を制限するサービスを提供するためのシステムを構築することができないという課題があった。
【００１７】
本発明は、上述した問題を解消し、ディジタルカメラを外部で認識したり外部から設定することができるようにし、所定の施設への入場者が所持しているディジタルカメラの撮影機能の制限／非制限を設定することができるようにすることを目的とする。
【課題を解決するための手段】
【００１８】
本発明によるディジタル撮影装置は、被写体を撮影するためのディジタル撮影機能部（例えばディジタル撮影機能部２０）を有するディジタル撮影装置（例えばディジタル撮影装置１０）であって、ディジタル撮影装置の外部との通信を行う通信処理部（例えば通信制御部３３、送受信部３４）と、ディジタル撮影装置の状態を示す装置状態情報（例えば図３に示すステータス情報）を記憶する状態情報記憶部（例えば記憶部３２）とを有するＩＣタグ機能部（例えばＩＣタグ機能部３０）を備え、装置状態情報は、ディジタル撮影装置を一意に識別するための個体識別情報（例えば個体識別符号）と、ディジタル撮影機能部による撮影機能の制限状態を含む撮影規制情報（例えば、図３に示す「撮影可否」、「撮影状態」）と、を含み、ＩＣタグ機能部は、ディジタル撮影装置の外部からの情報取得要求に応じて通信処理部により装置状態情報を送信し（例えばステップＳ２０１）、通信処理部が受信したディジタル撮影装置の外部からの撮影規制情報変更指示信号に応じて、状態情報記憶部に記憶されている撮影規制情報を変更し（例えばステップＳ２０８，Ｓ３０８）、ディジタル撮影機能部は、撮影規制情報変更指示信号に応じて、ＩＣタグ機能部による撮影規制情報の変更に応じた撮影機能の制限状態の設定変更を行う（例えばステップＳ２０７，Ｓ３０７，Ｓ４０８，Ｓ５０８）ことを特徴とする。
【００１９】
上述した構成としたことで、ディジタル撮影装置を外部で認識したり外部から設定することができるようになり、ディジタル撮影装置における撮影規制情報を外部から設定することができるようになる。
【００２０】
撮影規制情報変更指示信号は、撮影機能の制限を指示する機能制限信号と、撮影機能の制限の解除を指示する機能制限解除信号とを含み、ＩＣタグ機能部は、通信処理部が機能制限信号を受信したことに応じて、撮影規制情報を、撮影機能が制限されていることを示す撮影規制中情報に変更し（例えばステップＳ２０７，Ｓ２０８）、通信処理部が機能制限解除信号を受信したことに応じて、撮影規制情報を、撮影機能が制限されていないことを示す撮影規制解除中情報に変更し（例えばステップＳ３０７，Ｓ３０８）、ディジタル撮影機能部は、機能制限信号に応じて、撮影機能の制限を設定し（例えばステップＳ２０７）、機能制限解除信号に応じて、撮影機能の制限を解除する（例えばステップＳ３０７）ように構成されていてもよい。
【００２１】
上述した構成としたことで、ディジタル撮影装置の撮影機能の制限／非制限を外部から設定することができるようになる。
【００２２】
撮影規制情報は、ディジタル撮影機能部によるシャッター機能の制限状態を示すシャッター機能制限状態情報と、ディジタル撮影機能部によるフラッシュ機能の制限状態を示すフラッシュ機能制限状態情報とを含み、機能制限信号は、シャッター機能の制限を指示するシャッター機能制限信号と、フラッシュ機能の制限を指示するフラッシュ機能制限信号とを含み、機能制限解除信号は、シャッター機能の制限の解除を指示するシャッター機能制限解除信号と、フラッシュ機能の制限の解除を指示するフラッシュ機能制限解除信号とを含み、ＩＣタグ機能部は、通信処理部がフラッシュ機能制限信号を受信したことに応じて、撮影規制情報を、フラッシュ機能が制限されていることを示すフラッシュ機能制限中情報に変更し、通信処理部がフラッシュ機能制限解除信号を受信したことに応じて、撮影規制情報を、フラッシュ機能が制限されていないことを示すフラッシュ機能制限解除中情報に変更し、通信処理部がシャッター機能制限信号を受信したことに応じて、撮影規制情報を、シャッター機能が制限されていることを示すフラッシュ機能制限中情報に変更し、通信処理部がシャッター機能制限解除信号を受信したことに応じて、撮影規制情報を、シャッター機能が制限されていないことを示すシャッター機能制限解除中情報に変更し、ディジタル撮影機能部は、フラッシュ機能制限信号に応じて、フラッシュ機能の制限を設定し、フラッシュ機能制限解除信号に応じて、フラッシュ機能の制限を解除し、シャッター機能制限信号に応じて、シャッター機能の制限を設定し、シャッター機能制限解除信号に応じて、シャッター機能の制限を解除するように構成されていてもよい。
【００２３】
上述した構成としたことで、ディジタル撮影装置のシャッター機能やフラッシュ機能の制限／非制限を外部から設定することができるようになる。
【００２４】
通信処理部は、ディジタル撮影機能部による撮影機能の制限状態の設定変更が完了したことに応じて、その旨を示す変更完了信号を外部に送信するように構成されていてもよい。
【００２５】
通信処理部は、ＩＣタグ機能部が有する状態情報記憶部に情報を読み書きするＩＣタグリーダライタとの間で無線通信による通信を行い、装置状態情報をディジタル撮影装置の外部で管理する装置状態情報管理装置との間でＩＣタグリーダライタを介して通信を行うように構成されていてもよい。
【００２６】
ＩＣタグ機能部が有する状態情報記憶部に記憶された装置状態情報を表示する情報表示部を備えていてもよい。
【００２７】
また、本発明によるディジタル撮影装置管理装置は、ディジタル撮影装置を管理するディジタル撮影装置管理装置（例えば課金登録サーバ５０、ＩＣタグリーダライタ４０）であって、ディジタル撮影装置（例えばディジタル撮影装置１０）は、ディジタル撮影装置管理装置との間で通信を行うための通信処理部とディジタル撮影装置の状態を示す装置状態情報を記憶する状態情報記憶部とを有するＩＣタグ機能部と、被写体を撮影するためのディジタル撮影機能部とを有し、装置状態情報は、ディジタル撮影装置を一意に識別するための個体識別情報と、ディジタル撮影機能部による撮影機能の制限状態を含む撮影規制情報と、を含み、状態情報記憶部に記憶された装置状態情報を取得する装置状態情報取得手段（例えばステップＳ１０１，１０２にてステータス情報を取得する処理を実行する手段）と、装置状態情報取得手段によって取得された装置状態情報に含まれる個体識別情報が未登録であったことにもとづいて、当該取得された装置状態情報を含む管理装置側装置状態情報を登録する装置登録手段（例えばステップＳ１０７，１０８の処理を実行する手段）と、管理装置側装置状態情報を記憶する管理装置側装置状態情報記憶手段（例えば課金登録サーバ５０が備える記憶部）と、課金希望を受けたことに応じて、管理装置側装置状態情報に含まれる課金状態を示す課金情報を課金済に変更する課金登録手段（例えばステップＳ１１１の処理を実行する手段）と、課金情報が示す課金状態に応じて撮影を許容するか否かを判定する撮影許容判定手段（例えばステップＳ２０３，４０３の処理を実行する手段）と、撮影規制情報に応じて撮影機能が制限されているか否かを判定する機能制限判定手段（例えばステップＳ３０３，５０３の処理を実行する手段）と、撮影規制情報を変更させるとともに、ディジタル撮影機能部に撮影機能の制限状態の設定変更を実行させるための撮影規制情報変更指示信号を送信する規制変更指示手段（例えばステップＳ２０６，Ｓ３０６，Ｓ４０６，Ｓ５０６処理を実行する手段）と、を備え、規制変更指示手段は、撮影許容判定手段の判定結果または機能制限判定手段の判定結果に応じて撮影規制情報変更指示信号を送信することを特徴とする。
【００２８】
上述した構成としたことで、ディジタル撮影装置を外部で認識したり外部から設定することができるようになり、ディジタル撮影装置における撮影規制情報を外部から設定することができるようになる。
【００２９】
撮影規制情報変更指示信号は、撮影機能の制限を指示する機能制限信号と、撮影機能の制限の解除を指示する機能制限解除信号とを含み、規制変更指示手段は、撮影許容判定手段が撮影を許容しないことに判定したことにもとづいて、機能制限信号を送信し（例えばステップＳ２０６）、機能制限判定手段が撮影機能が制限されていると判定したことにもとづいて、機能制限解除信号を送信し（例えばステップＳ３０６）、ディジタル撮影装置のＩＣタグ機能部は、通信処理部が機能制限信号を受信したことに応じて、撮影規制情報を、撮影機能が制限されていることを示す撮影規制中情報に変更し（例えばステップＳ２０８）、通信処理部が機能制限解除信号を受信したことに応じて、撮影規制情報を、撮影機能が制限されていないことを示す撮影規制解除中情報に変更し（例えばステップＳ３０８）、ディジタル撮影装置のディジタル撮影機能部は、機能制限信号に応じて、撮影機能の制限を設定し（例えばステップＳ２０７）、機能制限解除信号に応じて、撮影機能の制限を解除する（例えばステップＳ３０７）ように構成されていてもよい。
【００３０】
装置状態情報取得手段は、課金済であることを条件にディジタル撮影装置による撮影が許容される所定の施設（例えば美術館）にディジタル撮影装置を所持したユーザが入場する際に、当該ディジタル撮影装置が有する状態情報記憶部に記憶された装置状態情報を取得し、撮影許容判定手段は、装置状態情報取得手段によって取得された装置状態情報に含まれる個体識別情報を含む管理装置側装置状態情報を読み出し、読み出した管理装置側装置状態情報に含まれている課金状態が示す課金情報が課金済でなかったときに、ディジタル撮影装置による撮影を許容しないと判定するように構成されていてもよい。
【００３１】
装置状態情報取得手段は、ディジタル撮影装置を所持したユーザが所定の施設（例えば美術館）から退場する際に、当該ディジタル撮影装置が有する状態情報記憶部に記憶された装置状態情報を取得し、機能制限判定手段は、装置状態情報取得手段によって取得された装置状態情報に含まれる撮影規制情報が撮影規制中情報であったときに、撮影機能が制限されていると判定するように構成されていてもよい。
【００３２】
各管理装置側装置状態情報に含まれる各撮影規制情報にもとづいて、ディジタル撮影装置による撮影が許容された状態で入場しているユーザの数（例えば、撮影可否が「撮影許可中」である数によって導出される）と、ディジタル撮影装置による撮影が禁止された状態で入場しているユーザの数（例えば、撮影状態が「機能制限中」である数によって導出される）とを含む来館者数情報を導出する導出手段を含むように構成されていてもよい。
【００３３】
また、本発明によるディジタル撮影装置管理方法は、ディジタル撮影装置を管理するディジタル撮影装置管理方法であって、ディジタル撮影装置は、ディジタル撮影装置管理装置との間で通信を行うための通信処理部とディジタル撮影装置の状態を示す装置状態情報を記憶する状態情報記憶部とを有するＩＣタグ機能部と、被写体を撮影するためのディジタル撮影機能部とを有し、装置状態情報は、ディジタル撮影装置を一意に識別するための個体識別情報と、ディジタル撮影機能部による撮影機能の制限状態を含む撮影規制情報と、を含み、ディジタル撮影装置管理装置は、状態情報記憶部に記憶された装置状態情報を取得し、取得した装置状態情報に含まれる個体識別情報が未登録であったことにもとづいて、当該取得した装置状態情報を含む管理装置側装置状態情報を管理装置側装置状態情報記憶手段に登録し、課金希望を受けたことに応じて、管理装置側装置状態情報に含まれる課金状態を示す課金情報を課金済に変更し、課金情報が示す課金状態に応じて撮影を許容するか否かを判定し、撮影規制情報に応じて撮影機能が制限されているか否かを判定し、撮影を許容するか否かの判定結果または撮影機能が制限されているか否かの判定結果に応じて、撮影規制情報を変更させるとともに、ディジタル撮影機能部に撮影機能の制限状態の設定変更を実行させるための撮影規制情報変更指示信号を送信することを特徴とする。
【００３４】
上述した構成としたことで、ディジタル撮影装置を外部で認識したり外部から設定することができるようになり、ディジタル撮影装置における撮影規制情報を外部から設定することができるようになる。
【００３５】
撮影規制情報変更指示信号は、撮影機能の制限を指示する機能制限信号と、撮影機能の制限の解除を指示する機能制限解除信号とを含み、ディジタル撮影装置管理装置は、撮影を許容しないことに判定したことにもとづいて、機能制限信号を送信し、撮影機能が制限されていると判定したことにもとづいて、機能制限解除信号を送信し、ディジタル撮影装置のＩＣタグ機能部は、通信処理部が機能制限信号を受信したことに応じて、撮影規制情報を、撮影機能が制限されていることを示す撮影規制中情報に変更し、通信処理部が機能制限解除信号を受信したことに応じて、撮影規制情報を、撮影機能が制限されていないことを示す撮影規制解除中情報に変更し、ディジタル撮影装置のディジタル撮影機能部は、機能制限信号に応じて、撮影機能の制限を設定し、機能制限解除信号に応じて、撮影機能の制限を解除するように構成されていてもよい。
【００３６】
さらに、本発明によるディジタル撮影装置管理プログラムは、ディジタル撮影装置をディジタル撮影装置管理装置に管理させるためのディジタル撮影装置管理プログラムであって、ディジタル撮影装置は、ディジタル撮影装置管理装置との間で通信を行うための通信処理部とディジタル撮影装置の状態を示す装置状態情報を記憶する状態情報記憶部とを有するＩＣタグ機能部と、被写体を撮影するためのディジタル撮影機能部とを有し、装置状態情報は、ディジタル撮影装置を一意に識別するための個体識別情報と、ディジタル撮影機能部による撮影機能の制限状態を含む撮影規制情報と、を含み、ディジタル撮影装置管理装置に、状態情報記憶部に記憶された装置状態情報を取得するステップと、取得した装置状態情報に含まれる個体識別情報が未登録であったことにもとづいて、当該取得した装置状態情報を含む管理装置側装置状態情報を管理装置側装置状態情報記憶手段に登録するステップと、課金希望を受けたことに応じて、管理装置側装置状態情報に含まれる課金状態を示す課金情報を課金済に変更するステップと、課金情報が示す課金状態に応じて撮影を許容するか否かを判定するステップと、撮影規制情報に応じて撮影機能が制限されているか否かを判定するステップと、撮影を許容するか否かを判定結果または撮影機能が制限されているか否かの判定結果に応じて、撮影規制情報を変更させるとともに、ディジタル撮影機能部に撮影機能の制限状態の設定変更を実行させるための撮影規制情報変更指示信号を送信するステップとを実行させるためのディジタル撮影装置管理プログラムである。
【００３７】
上述した構成としたことで、ディジタル撮影装置管理装置に、ディジタル撮影装置を認識させたり、ディジタル撮影装置に情報を設定させることができるようになり、ディジタル撮影装置における撮影規制情報を設定させることができるようになる。
【００３８】
撮影規制情報変更指示信号は、撮影機能の制限を指示する機能制限信号と、撮影機能の制限の解除を指示する機能制限解除信号とを含み、ディジタル撮影装置管理装置に、さらに、撮影を許容しないことに判定したことにもとづいて、機能制限信号を送信するステップと、撮影機能が制限されていると判定したことにもとづいて、機能制限解除信号を送信するステップとを実行させ、ディジタル撮影装置のＩＣタグ機能部は、通信処理部が機能制限信号を受信したことに応じて、撮影規制情報を、撮影機能が制限されていることを示す撮影規制中情報に変更し、通信処理部が機能制限解除信号を受信したことに応じて、撮影規制情報を、撮影機能が制限されていないことを示す撮影規制解除中情報に変更し、ディジタル撮影装置のディジタル撮影機能部は、機能制限信号に応じて、撮影機能の制限を設定し、機能制限解除信号に応じて、撮影機能の制限を解除するように構成されていてもよい。
【発明の効果】
【００３９】
本発明によれば、ディジタル撮影装置を外部で認識したり外部から設定することができるようになり、ディジタル撮影装置の撮影機能の制限や解除を外部から設定することができる。
【発明を実施するための最良の形態】
【００４０】
以下、本発明の実施の形態について図面を参照して説明する。
図１は、本発明の一実施の形態におけるディジタル撮影装置管理システム１００の概略を示す概念図である。
【００４１】
ここでは、美術館への入場時に、入場者が所持しているディジタル撮影装置１０の機能を課金情報にもとづいて制限・解除するときの処理や、機能制限を行わないときの処理などについて詳細に説明する。
【００４２】
近年、メモリ付き集積回路を有する「ＩＣタグ」（一般に、「非接触データキャリア」、「無線ＩＣタグ」、「非接触ＩＣ」、「非接触ＩＣラベル」、「非接触ＩＣタグ」、「ＲＦＩＤ」等と表現される場合もある。）を物品に実装し、「ＩＣタグ」に各種の情報を記録して、商品情報表示や物流の合理化あるいは物品の管理が行われるようになってきている。なお、「ＩＣタグ」が有するメモリには、一般に、個体識別符号などの情報が記憶される。また、個体識別符号などの情報は、ＩＣタグリーダライタによって読み書きされる。
【００４３】
以下に示す実施の形態では、ディジタル撮影装置に上記のようなＩＣタグを実装させることによって、ディジタル撮影装置の管理などを装置の外部で行うとともに、ディジタル撮影装置の外部からの制御信号によりディジタル撮影装置の機能制限やその制限の解除などを行うためのシステム（ディジタル撮影装置管理システム１００）が実現されている。
【００４４】
図１に示すように、ディジタル撮影装置管理システム１００は、ＩＣタグ付きディジタル撮影装置１０と、ＩＣタグリーダライタ４０と、課金登録サーバ５０を含む。
【００４５】
図１に示すように、美術館の出入口に、ＩＣタグリーダライタ４０と、課金登録サーバ５０とを用意しておく。美術館への入場希望者がＩＣタグ付きディジタル撮影装置１０を持参したときに、例えば美術館の職員が、美術館の入口にて、ＩＣタグリーダライタ４０と課金登録サーバ５０とを用いて、入場希望者の課金状態の確認、機能制限を行うか否かの判定、その判定結果に応じた機能制限の設定などを行うための作業を行う。そして、ＩＣタグ付きディジタル撮影装置１０を所持している入場者が美術館から出るときに、美術館の職員が、美術館の出口にて、ＩＣタグリーダライタ４０と課金登録サーバ５０とを用いて、機能制限状態の解除やステータスの変更などを行うための作業を行う。
【００４６】
図２は、ＩＣタグ付きディジタル撮影装置１０の構成の例を示すブロック図である。
図２に示すように、ＩＣタグ付きディジタル撮影装置１０（以下、単に「ディジタル撮影装置１０」という。）は、ディジタル撮影機能部２０と、ＩＣタグ機能部３０とを備えている。
【００４７】
ディジタル撮影機能部２０は、表示部２１と、撮影機能部２２と、信号制御部２３と、記憶部２４とを含む。
【００４８】
表示部２１は、ディジタル撮影装置１０に付属した例えば液晶表示装置などのディスプレイによって構成される。記憶部２４は、例えばＲＡＭなどの記憶媒体によって構成される。
【００４９】
撮影機能部２２は、ストロボ等の発光手段を発光させるためのフラッシュ機能、ユーザのボタン操作に応じて被写体を撮像するためにシャッターを所定期間開く動作を行うためのシャッター機能、被写体の撮像に用いられるＣＣＤ等の撮像素子による電気信号変換機能、電気信号変換機能によって変換された電気信号をディジタル信号に変換するディジタル信号変換機能などの各種機能を有する。また、撮影機能部２２は、ディジタル信号変換機能によって変換したディジタルデータ（撮影データ）を信号制御部２３に送信する処理などの各種の処理を実行する。
【００５０】
また、撮影機能部２２は、信号制御部２３からの制御信号にもとづいて、各種の処理を実行する。信号制御部２３から撮影機能部２２に伝達される制御信号には、例えば、「機能制限指示信号」や、「機能制限解除指示信号」などがある。
【００５１】
「機能制限指示信号」を受信すると、撮影機能部２２は、この例では、シャッター機能とフラッシュ機能とをともにオフ状態にして、両機能をオフ状態としたことを示す「機能制限実施完了信号」を、信号制御部２３に対して送信する。
【００５２】
なお、シャッター機能がオフ状態とされているときは、ユーザによってシャッターボタンが押下された場合であっても、シャッターを開く動作は実行されない。すなわち、撮像することができない状態となっている。また、フラッシュ機能がオフ状態とされているときは、ユーザによるフラッシュの設定が無効とされ（あるいはフラッシュ無の状態からユーザによる設定変更ができない状態とされ）、シャッターボタンが押下された場合であっても、発光手段が発光しない状態となっている。
【００５３】
また、「機能制限解除指示信号」を受信すると、撮影機能部２２は、シャッター機能とフラッシュ機能とをオフ状態からオン状態に変更し、両機能をオン状態としたことを示す「機能制限解除実施完了信号」を、信号制御部２３に対して送信する。
【００５４】
信号制御部２３は、撮影データについての各種の処理を実行する機能を有する。信号制御部２３によって処理された撮影データは、記憶部２４に書き込まれる。
【００５５】
信号制御部２３は、ＩＣタグ機能部３０の信号処理部３１を制御し、ＩＣタグ機能部３０の記憶部３２に記憶された情報を読み出させてディジタル撮影機能部２０の記憶部２４に記憶する処理や、ディジタル撮影機能部２０の記憶部２４から読み出した情報をＩＣタグ機能部３０の記憶部３２に記憶させる処理を実行する機能を有する。
【００５６】
また、信号制御部２３は、読み出した情報そのものや、読み出した情報の一部を、ディジタル撮影装置１０に内蔵または外付けされた表示部２１に表示する処理を実行する機能を有する。具体的には、撮像した画像や、後述するステータス情報（図３参照）などを表示部２１に表示する。
【００５７】
また、信号制御部２３は、ＩＣタグ機能部３０から「機能制限信号」を受け取ると、撮影機能部２２に対して「機能制限指示信号」を送信する。同様に、信号制御部２３は、ＩＣタグ機能部３０から「機能制限解除信号」を受け取ると、撮影機能部２２に対して「機能制限解除指示信号」を送信する。
【００５８】
また、信号制御部２３は、撮影機能部２２によって送信される、シャッター機能とフラッシュ機能とをオフ状態としたことを示す「機能制限実施完了信号」と、シャッター機能とフラッシュ機能とをオン状態としたことを示す「機能制限解除実施完了信号」とを、受信する処理を実行する機能を有する。
【００５９】
さらに、信号制御部２３は「機能制限実施完了信号」を受信すると撮影状態「機能制限中」の情報をＩＣタグ機能部３０に送信し、「機能制限解除実施完了信号」を受信すると撮影状態「通常撮影状態」の情報をＩＣタグ機能部３０に送信する処理を実行する機能を有する。
【００６０】
また、図２に示すように、ＩＣタグ機能部３０は、信号処理部３１と、記憶部３２と、通信制御部３３と、送受信部３４とを含む。
【００６１】
信号処理部３１は、受信した情報を記憶部３２に記憶する処理や、記憶部３２に記憶されている情報を読み出して送信する処理などを実行する機能を有する。
【００６２】
また、信号処理部３１は、ディジタル撮影機能部２０の信号制御部２３からの指示に従って、ＩＣタグ機能部３０の記憶部３２に記憶された情報を読み出し、ディジタル撮影機能部２０の信号制御部２３に送信する処理や、信号制御部２３によって送信されたディジタル撮影機能部２０の記憶部２４に記憶された情報を受信し、ＩＣタグ機能部３０の記憶部３２に記憶する処理などを実行する機能を有する。
【００６３】
記憶部３２は、例えばＲＡＭなどの記憶媒体によって構成され、「ステータス情報」などの各種の情報を記憶する。
【００６４】
図３は、ディジタル撮影装置１０のＩＣタグ（具体的には記憶部３２）に格納されるステータス情報の例を示す説明図である。図３に示すように、「ステータス情報」は、「撮影者氏名」、ディジタル撮影装置１０を一意に識別するための「個体識別符号」、美術館内での撮影が許容されているか否かを示す「撮影可否」、現在の撮影状態を示す「撮影状態」を含む情報である。信号処理部３１は、「ステータス情報」を外部から受信すると、記憶部３２の記憶情報を更新する処理を実行する機能を有する。
【００６５】
通信制御部３３は、ＩＣタグリーダライタ４０から受信した無線信号の復調処理や、ＩＣタグリーダライタ４０へ送信するための信号に変調する変調処理などの処理を実行する機能を有する。
【００６６】
送受信部３４は、アンテナ機能を内蔵し、ＩＣタグリーダライタ４０との間で無線信号の送受信を行うための処理を実行する機能を有する。また、送受信部３４は、ＩＣタグリーダライタ４０からの電波から、ＩＣタグ機能部３０を動作させるための電力を生成する機能を有する。従って、ディジタル撮影装置１０の電源スイッチなどがオフ状態であっても、ＩＣタグ機能部３０は、ＩＣタグリーダライタ４０との間で無線信号の送受信を行うことができる。
【００６７】
図４は、ＩＣタグリーダライタ４０の構成の例を示すブロック図である。
図４に示すように、ＩＣタグリーダライタ４０は、信号処理部４１と、記憶部４２と、通信制御部４３と、送受信部４４とを含む。
【００６８】
送受信部４４は、ディジタル撮影装置１０に搭載されているＩＣタグ機能部３０との間で無線信号の送受信を行うための処理を実行する機能を有する。
【００６９】
通信制御部４３は、ＩＣタグ機能部３０から受信した無線信号の復調処理や、ＩＣタグ機能部３０へ送信するための信号に変調する変調処理などの処理を実行する機能を有する。
【００７０】
信号処理部４１は、受信した情報を記憶部４２に記憶する処理や、記憶部４２に記憶されている情報を読み出して通信制御部４３や課金登録サーバ５０に送信する処理などを実行する機能を有する。
【００７１】
また、信号処理部４１は、課金登録サーバ５０に通信ネットワーク（例えば、専用通信回線、無線通信回線）を介して接続されており、課金登録サーバ５０との間で情報の送受信を行うための処理を実行する機能を有する。
【００７２】
次に、本例のディジタル撮影装置管理システム１００の動作について、図面を参照して説明する。
【００７３】
まず、本例のディジタル撮影装置１０を持参して初めて美術館に来館した際に実行される登録・課金処理について説明する。図５は、登録・課金処理の例を示すフローチャートである。
【００７４】
美術館の職員は、美術館の入口にて、来館者が所持しているＩＣタグ付きディジタル撮影装置１０に、ＩＣタグリーダライタ４０をかざす。すると、ＩＣタグリーダライタ４０は、ディジタル撮影装置１０に搭載されているＩＣタグ（具体的には記憶部３２）から、ステータス情報（図３参照）を読み込む（ステップＳ１０１）。
【００７５】
ステータス情報を読み取ると、ＩＣタグリーダライタ４０は、読み取ったステータス情報を、課金登録サーバ５０に対して送信する（ステップＳ１０２）。
【００７６】
課金登録サーバ５０は、ＩＣタグリーダライタ４０から受信したステータス情報と、ディジタル撮影装置管理情報（＝「個体管理情報」）とにもとづいて、ここでは、ディジタル撮影装置１０に関わるディジタル撮影装置管理情報が登録されておらず、未だ課金されていないと判定することになる（ステップＳ１０３）。
【００７７】
具体的には、ここでは、ディジタル撮影装置１０の個体識別符号がディジタル撮影装置管理情報に登録されていないことが確認され、この確認によって、ディジタル撮影装置１０に関わるディジタル撮影装置管理情報が登録されておらず、課金もされていないと判定される。
【００７８】
図６は、課金登録サーバ５０に格納されるディジタル撮影装置管理情報の例を示す説明図である。図６に示すように、ディジタル撮影装置管理情報は、「機能制限／解除実施日時」、「撮影者氏名」、「個体識別符号」、「撮影可否」、「撮影状態」の各情報を含み、一覧表として保持される。
【００７９】
図７は、課金登録サーバ５０に格納される撮影者の詳細ステータス情報の例を示す説明図である。詳細ステータス情報は、ディジタル撮影装置管理情報の一部を構成する情報である。図７に示すように、詳細ステータス情報は、「ディジタル撮影装置  個体識別符号」、「撮影者氏名」、「撮影者性別」、「撮影者年齢」、「撮影者生年月日」、「撮影可否」、「撮影状態」の各情報を含む。詳細ステータス情報は、ディジタル撮影装置管理情報に登録されている個体識別符号毎に用意されており、個体識別符号に対応付けされている撮影者のステータスの詳細を示す情報である。
【００８０】
次に、課金登録サーバ５０は、ディジタル撮影装置管理情報の登録の有無、および課金状況を表示する表示領域と、ディジタル撮影装置管理情報の登録の可否、および課金の可否の選択を受け付けるための選択領域とを含む表示画面を、自己が備える表示装置の表示画面に表示する（ステップＳ１０４）。
【００８１】
図８は、ステップＳ１０４にて表示される表示画面の例を示す説明図である。図８に示すように、ステップＳ１０４にて、課金登録サーバ５０の表示画面には、ディジタル撮影装置管理情報が登録されていない旨を表示した表示領域と、課金されていない旨を表示した表示領域と、ディジタル撮影装置管理情報の登録の可否および課金の可否の選択を受け付けるための選択領域（選択ボタン）８１〜８４とが含まれている。
【００８２】
選択ボタン８１は、ディジタル撮影装置管理情報の登録を行い、課金は行わないときに選択される。選択ボタン８２は、ディジタル撮影装置管理情報の登録は行わず、課金は行うときに選択される。選択ボタン８３は、ディジタル撮影装置管理情報の登録を行うとともに、課金も行うときに選択される。選択ボタン８４は、ディジタル撮影装置管理情報の登録も課金もともに行わないときに選択される。選択操作は、例えば来館者による例えば課金登録サーバ５０が備える入力装置（例えばマウス）のクリック操作によって行われる。なお、来館者の希望にもとづいて、美術館の職員が操作するようにしてもよい。
【００８３】
次いで、来館者によって選択ボタン８４が選択（押下）された場合には、課金登録サーバ５０は、ディジタル撮影装置管理情報の登録も課金もともに行わないため、ここでの登録課金処理を終了する（ステップＳ１０５）。なお、ディジタル撮影装置管理情報の登録および課金をともに拒否した来館者に対しては、例えば、所持しているディジタル撮影装置を入館時に美術館側で預かり、退館時に返却するようにすればよい。
【００８４】
また、来館者によって選択ボタン８１が選択（押下）された場合には（ステップＳ１０６のＹ）、課金登録サーバ５０は、ディジタル撮影装置管理情報の登録のみを来館者が希望しているため、ディジタル撮影装置管理情報として、撮影者氏名、撮影者性別、撮影者年齢、生年月日の入力を来館者に対して依頼し、それらの情報の入力を受け付ける（ステップＳ１０７）。「ディジタル撮影装置管理情報の入力依頼」は、例えば、課金登録サーバ５０が備える表示装置に、その旨を表示するようにすればよい。また、「ディジタル撮影装置管理情報の入力操作」は、課金登録サーバ５０が備える入力装置（例えばキーボード）の操作によって行われる。
【００８５】
課金登録サーバ５０は、入力されたディジタル撮影装置管理情報を登録し、課金情報を「未」に設定し、課金していないため撮影可否を「否」に設定し、撮影状態を「通常撮影状態」に設定する（ステップＳ１０８）。
【００８６】
そして、ＩＣタグリーダライタ４０は、撮影者氏名と、撮影可否を「否」、撮影状態を「通常撮影状態」とした情報とを、課金登録サーバ５０から読み出して、ディジタル撮影装置１０のＩＣタグに向けて送信し、ディジタル撮影装置１０のＩＣタグに登録させる（ステップＳ１０９）。
【００８７】
一方、来館者によって選択ボタン８２または選択ボタン８３が選択（押下）された場合には（ステップＳ１０６のＹ）、課金登録サーバ５０は、ディジタル撮影装置管理情報の登録および課金の登録、または課金の登録のみを来館者が希望しているため、ディジタル撮影装置管理情報の入力を来館者に対して依頼し（課金のみの場合は不要）、また、決済に必要なクレジット番号、料金引き落とし口座などの決済関係情報の入力を依頼する（ステップＳ１１０）。なお、現金にて支払われた場合は決済関係情報の入力は不要であり、例えば現金支払である旨の入力を依頼するようにすればよい。「決済関係情報の入力依頼」は、例えば、課金登録サーバ５０が備える表示装置に、その旨を表示するようにすればよい。また、「決済関係情報の入力操作」は、課金登録サーバ５０が備える入力装置（例えばキーボード）の操作によって行われる。
【００８８】
課金登録サーバ５０は、入力されたディジタル撮影装置管理情報を登録し（課金のみの場合は不要）、撮影状態を「通常撮影状態」に（課金のみの場合は不要）、課金情報を「済」に、課金済であるため撮影可否を「可」に設定する（ステップＳ１１１）。
【００８９】
そして、ＩＣタグリーダライタ４０は、ディジタル撮影装置管理情報の登録および課金の場合には、撮影者氏名と、撮影可否を「可」、撮影状態を「通常撮影状態」とした情報とを、課金登録サーバ５０から読み出して、ディジタル撮影装置１０のＩＣタグに向けて送信し、ディジタル撮影装置１０のＩＣタグに登録させる（ステップＳ１１２）。一方、課金のみの場合には、ＩＣタグリーダライタ４０は、撮影可否を「可」とした情報を、課金登録サーバ５０から読み出して、ディジタル撮影装置１０のＩＣタグに向けて送信し、ディジタル撮影装置１０のＩＣタグに登録させる（ステップＳ１１２）。
【００９０】
次に、ディジタル撮影装置１０の機能を制限するための機能制限処理について説明する。図９は、機能制限処理の例を示すフローチャートである。ここでは、ディジタル撮影装置１０は、上述した課金登録処理（図５）によって、ディジタル撮影装置管理情報を既に課金登録サーバ５０に登録しているが、課金はなされていない装置であるものとする。
【００９１】
美術館の職員は、美術館の入口にて、来館者が所持しているＩＣタグ付きディジタル撮影装置１０に、ＩＣタグリーダライタ４０をかざす。すると、ＩＣタグリーダライタ４０は、ディジタル撮影装置１０に搭載されているＩＣタグ（具体的には記憶部３２）から、ステータス情報（図３参照）を読み込む（ステップＳ２０１）。
【００９２】
ステータス情報を読み取ると、ＩＣタグリーダライタ４０は、読み取ったステータス情報を、課金登録サーバ５０に対して送信する（ステップＳ２０２）。
【００９３】
課金登録サーバ５０は、ＩＣタグリーダライタ４０から受信したステータス情報からディジタル撮影装置１０に関わるディジタル撮影装置管理情報を参照し、ここでは、撮影可否が「否」であると判定する（ステップＳ２０３）。
【００９４】
次に、課金登録サーバ５０は、判定結果としてを表示する表示領域と、機能制限の可否の選択を受け付けるための選択領域とを含む表示画面を、自己が備える表示装置の表示画面に表示する（ステップＳ２０４）。
【００９５】
ステップＳ２０４にて表示される表示画面には、撮影可否が「否」である旨を表示した表示領域と、機能制限の可否の選択を受け付けるための選択ボタンとが含まれている。
【００９６】
ここでは、選択ボタンは、機能制限を行うときに選択される機能制限実行ボタンと、機能制限を行わないときに選択される機能制限非実行ボタンとがある。選択操作は、例えば来館者による例えば課金登録サーバ５０が備える入力装置（例えばマウス）のクリック操作によって行われる。なお、来館者の希望にもとづいて、美術館の職員が操作するようにしてもよい。
【００９７】
来館者によって機能制限非実行ボタンが選択（押下）された場合には、課金登録サーバ５０は、機能制限を行わないため、ここでの機能制限処理を終了する（ステップＳ２０５）。このように、機能制限を拒否された場合、館内撮影は課金が必要であることを来館者に説明し、上述した登録・課金処理（図５参照）にて課金を行うようにすればよい。
【００９８】
また、来館者によって機能制限実行ボタンが選択（押下）された場合には（ステップＳ２０５のＹ）、課金登録サーバ５０は、ＩＣタグリーダライタ４０からディジタル撮影装置１０のＩＣタグに向けて、機能制限を実施させるために「機能制限信号」を送信する（ステップＳ２０６）。
【００９９】
ディジタル撮影装置１０は、ＩＣタグ機能部３０にて「機能制限信号」を受信すると、「機能制限信号」を信号制御部２３へ送る。「機能制限信号」を受信すると、信号制御部２３は、撮影機能部２２へ「機能制限指示信号」を送る。そして、「機能制限指示信号」を受信すると、撮影機能部２２は、機能制限を実施する（ステップＳ２０７）。すなわち、シャッター機能とフラッシュ機能とをともにオフ状態にするための設定を行う。
【０１００】
撮影機能部２２は、機能制限の実施を完了すると「機能制限実施完了信号」を送信する。「機能制限実施完了信号」を受信すると、信号制御部２３は、撮影状態「機能制限中」の情報をＩＣタグ機能部３０へ送信し、ＩＣタグ機能部３０の記憶部３２に格納されている撮影状態を「機能制限中」に変更する。そして、ＩＣタグ機能部３０は、ＩＣタグリーダライタ４０に対して「機能制限実施完了信号」を送信する（ステップＳ２０８）。
【０１０１】
なお、この例では、ディジタル撮影装置のＩＣタグ機能部３０に向けて「機能制限信号」を送信してから、一定時間が経過してもＩＣタグリーダライタ４０にて「機能制限実施完了信号」が受信されなかった場合には（ステップＳ２０９のＮ）、ステップＳ２０６の処理に戻る。
【０１０２】
ＩＣタグリーダライタ４０は、「機能制限実施完了信号」を受信すると（ステップＳ２０９のＹ）、課金登録サーバ５０に「機能制限実施完了信号」を送信する（ステップＳ２１０）。
【０１０３】
「機能制限実施完了信号」を受信すると、課金登録サーバ５０は、該当するディジタル撮影装置１０の撮影状態を「機能制限中」に変更し、変更結果を課金登録サーバ５０が備える表示装置の表示画面に表示する（ステップＳ２１１）。具体的には、「機能制限を設定しました」、「フラッシュ機能およびシャッター機能を無効とする設定を行いました」、「撮影不能とする設定を行いました」などのようにして、変更結果を表示するようにすればよい。
【０１０４】
次に、ディジタル撮影装置１０の機能制限を解除するための機能制限解除処理について説明する。図１０は、機能制限解除処理の例を示すフローチャートである。ここでは、ディジタル撮影装置１０は、美術館に入館するときに上述した機能制限処理（図９参照）によって機能制限がなされた装置であるものとする。
【０１０５】
美術館の職員は、美術館の出口にて、来館者が所持しているＩＣタグ付きディジタル撮影装置１０に、ＩＣタグリーダライタ４０をかざす。すると、ＩＣタグリーダライタ４０は、ディジタル撮影装置１０に搭載されているＩＣタグ（具体的には記憶部３２）から、ステータス情報（図３参照）を読み込む（ステップＳ３０１）。
【０１０６】
ステータス情報を読み取ると、ＩＣタグリーダライタ４０は、読み取ったステータス情報を、課金登録サーバ５０に対して送信する（ステップＳ３０２）。
【０１０７】
課金登録サーバ５０は、ＩＣタグリーダライタ４０から受信したステータス情報からディジタル撮影装置１０に関わるディジタル撮影装置管理情報を参照し、ここでは、撮影状態が「機能制限中」であると判定する（ステップＳ３０３）。
【０１０８】
次に、課金登録サーバ５０は、判定結果としてを表示する表示領域と、機能制限解除の可否の選択を受け付けるための選択領域とを含む表示画面を、自己が備える表示装置の表示画面に表示する（ステップＳ３０４）。
【０１０９】
ステップＳ３０４にて表示される表示画面には、撮影状態が「機能制限中」である旨を表示した表示領域と、機能制限解除の可否の選択を受け付けるための選択ボタンとが含まれている。
【０１１０】
ここでは、選択ボタンは、機能制限解除を行うときに選択される機能制限解除実行ボタンと、機能制限解除を行わないときに選択される機能制限解除非実行ボタンとがある。選択操作は、例えば来館者による例えば課金登録サーバ５０が備える入力装置（例えばマウス）のクリック操作によって行われる。なお、来館者の希望にもとづいて、美術館の職員が操作するようにしてもよい。
【０１１１】
来館者によって機能制限解除非実行ボタンが選択（押下）された場合には、課金登録サーバ５０は、機能制限解除を行わないため、ここでの機能制限解除処理を終了する（ステップＳ３０５）。なお、このような処理が行われるのは、例えば、退館するのをやめて館内に戻るときや、何らかの理由で一時的に退館するときが考えられる。
【０１１２】
また、来館者によって機能制限解除実行ボタンが選択（押下）された場合には（ステップＳ３０５のＹ）、課金登録サーバ５０は、ＩＣタグリーダライタ４０からディジタル撮影装置１０のＩＣタグに向けて、機能制限を実施解除させるために「機能制限解除信号」を送信する（ステップＳ３０６）。
【０１１３】
ディジタル撮影装置１０は、ＩＣタグ機能部３０にて「機能制限解除信号」を受信すると、「機能制限解除信号」を信号制御部２３へ送る。「機能制限解除信号」を受信すると、信号制御部２３は、撮影機能部２２へ「機能制限解除指示信号」を送る。そして、「機能制限解除指示信号」を受信すると、撮影機能部２２は、機能制限解除を実施する（ステップＳ３０７）。すなわち、シャッター機能とフラッシュ機能とをともにオン状態にするための設定を行う。
【０１１４】
撮影機能部２２は、機能制限解除を完了すると「機能制限解除実施完了信号」を送信する。「機能制限解除実施完了信号」を受信すると、信号制御部２３は、撮影状態「通常撮影状態」の情報をＩＣタグ機能部３０へ送信し、ＩＣタグ機能部３０の記憶部３２に格納されている撮影状態を「通常撮影状態」に変更する。そして、ＩＣタグ機能部３０は、ＩＣタグリーダライタ４０に対して「機能制限解除実施完了信号」を送信する（ステップＳ３０８）。
【０１１５】
なお、この例では、ディジタル撮影装置のＩＣタグ機能部３０に向けて「機能制限解除信号」を送信してから、一定時間が経過してもＩＣタグリーダライタ４０にて「機能制限解除実施完了信号」が受信されなかった場合には（ステップＳ３０９のＮ）、ステップＳ３０６の処理に戻る。
【０１１６】
ＩＣタグリーダライタ４０は、「機能制限解除実施完了信号」を受信すると（ステップＳ３０９のＹ）、課金登録サーバ５０に「機能制限解除実施完了信号」を送信する（ステップＳ３１０）。
【０１１７】
「機能制限解除実施完了信号」を受信すると、課金登録サーバ５０は、該当するディジタル撮影装置１０の撮影状態を「通常撮影状態」に変更し、変更結果を課金登録サーバ５０が備える表示装置の表示画面に表示する（ステップＳ２１１）。具体的には、「機能制限を解除しました」、「フラッシュ機能およびシャッター機能を有効とする設定を行いました」、「撮影可能とする設定を行いました」などのようにして、変更結果を表示するようにすればよい。
【０１１８】
次に、ディジタル撮影装置１０での撮影を許可するための撮影許可処理について説明する。図１１は、撮影許可処理の例を示すフローチャートである。ここでは、ディジタル撮影装置１０は、上述した課金登録処理（図５）によって、ディジタル撮影装置管理情報を既に課金登録サーバ５０に登録しているとともに、課金済である装置であるものとする。撮影許可処理では、機能制限は実施されず、ステータス情報の変更のみとなる。
【０１１９】
美術館の職員は、美術館の入口にて、来館者が所持しているＩＣタグ付きディジタル撮影装置１０に、ＩＣタグリーダライタ４０をかざす。すると、ＩＣタグリーダライタ４０は、ディジタル撮影装置１０に搭載されているＩＣタグ（具体的には記憶部３２）から、ステータス情報（図３参照）を読み込む（ステップＳ４０１）。
【０１２０】
ステータス情報を読み取ると、ＩＣタグリーダライタ４０は、読み取ったステータス情報を、課金登録サーバ５０に対して送信する（ステップＳ４０２）。
【０１２１】
課金登録サーバ５０は、ＩＣタグリーダライタ４０から受信したステータス情報からディジタル撮影装置１０に関わるディジタル撮影装置管理情報を参照し、ここでは、撮影可否が「可」であると判定する（ステップＳ４０３）。
【０１２２】
次に、課金登録サーバ５０は、判定結果としてを表示する表示領域と、撮影の可否の選択を受け付けるための選択領域とを含む表示画面を、自己が備える表示装置の表示画面に表示する（ステップＳ４０４）。
【０１２３】
ステップＳ４０４にて表示される表示画面には、撮影可否が「可」である旨を表示した表示領域と、撮影の可否の選択を受け付けるための選択ボタンとが含まれている。
【０１２４】
ここでは、選択ボタンは、撮影を許可するときに選択される撮影許可ボタンと、撮影不可とするときに選択される撮影不可ボタンとがある。選択操作は、例えば来館者による例えば課金登録サーバ５０が備える入力装置（例えばマウス）のクリック操作によって行われる。なお、来館者の希望にもとづいて、美術館の職員が操作するようにしてもよい。
【０１２５】
来館者によって撮影不可ボタンが選択（押下）された場合には、課金登録サーバ５０は、撮影を許可しないため、ここでの撮影許可処理を終了する（ステップＳ４０５）。なお、このような処理がなされるときは、例えば入館するのを一旦とりやめたときなどが考えられる。
【０１２６】
また、来館者によって撮影許可ボタンが選択（押下）された場合には（ステップＳ４０５のＹ）、課金登録サーバ５０は、ＩＣタグリーダライタ４０からディジタル撮影装置１０のＩＣタグに向けて、撮影許可の設定を指示するための「撮影許可中信号」を送信する（ステップＳ４０６）。
【０１２７】
ディジタル撮影装置１０は、ＩＣタグ機能部３０にて「撮影許可中信号」を受信する（ステップＳ４０７）。すると、信号制御部３１は、記憶部３２に格納されている撮影可否を「撮影許可中」に変更する（ステップＳ４０８）。
【０１２８】
ＩＣタグ機能部３０は、撮影可否を「撮影許可中」に変更すると、ＩＣタグリーダライタ４０に対して「撮影許可中完了信号」を送信する（ステップＳ４０８）。
【０１２９】
なお、この例では、ディジタル撮影装置１０のＩＣタグ機能部３０に向けて「撮影許可中信号」を送信してから、一定時間が経過してもＩＣタグリーダライタ４０にて「撮影許可中完了信号」が受信されなかった場合には（ステップＳ４０９のＮ）、ステップＳ４０６の処理に戻る。
【０１３０】
ＩＣタグリーダライタ４０は、「撮影許可中完了信号」を受信すると（ステップＳ４０９のＹ）、課金登録サーバ５０に「撮影許可中完了信号」を送信する（ステップＳ４１０）。
【０１３１】
「撮影許可中完了信号」を受信すると、課金登録サーバ５０は、該当するディジタル撮影装置１０のステータス情報の撮影可否を「撮影許可中」に変更し、変更結果を課金登録サーバ５０が備える表示装置の表示画面に表示する（ステップＳ４１１）。具体的には、「撮影を許可しました」などのようにして、変更結果を表示するようにすればよい。
【０１３２】
次に、既に撮影許可済みのディジタル撮影装置１０の撮影許可を解除するための撮影許可中解除処理について説明する。図１２は、撮影許可中解除処理の例を示すフローチャートである。撮影許可中解除処理においても、ステータス情報の変更のみとなる。
【０１３３】
美術館の職員は、美術館の出口にて、来館者が所持しているＩＣタグ付きディジタル撮影装置１０に、ＩＣタグリーダライタ４０をかざす。すると、ＩＣタグリーダライタ４０は、ディジタル撮影装置１０に搭載されているＩＣタグ（具体的には記憶部３２）から、ステータス情報（図３参照）を読み込む（ステップＳ５０１）。
【０１３４】
ステータス情報を読み取ると、ＩＣタグリーダライタ４０は、読み取ったステータス情報を、課金登録サーバ５０に対して送信する（ステップＳ５０２）。
【０１３５】
課金登録サーバ５０は、ＩＣタグリーダライタ４０から受信したステータス情報からディジタル撮影装置１０に関わるディジタル撮影装置管理情報を参照し、ここでは、撮影状態が「撮影許可中」であると判定する（ステップＳ５０３）。
【０１３６】
次に、課金登録サーバ５０は、判定結果を表示する表示領域と、「撮影許可済」へ変更してよいか否かの選択を受け付けるための選択領域とを含む表示画面を、自己が備える表示装置の表示画面に表示する（ステップＳ５０４）。
【０１３７】
ステップＳ５０４にて表示される表示画面には、撮影状態が「撮影許可中」である旨を表示した表示領域と、撮影状態を「撮影許可済」に変更するか否かの選択を受け付けるための選択ボタンとが含まれている。
【０１３８】
ここでは、選択ボタンは、撮影状態を「撮影許可済」に変更しないときに選択される撮影許可継続ボタンと、撮影状態を「撮影許可済」に変更するときに選択される撮影許可終了ボタンとがある。選択操作は、例えば来館者による例えば課金登録サーバ５０が備える入力装置（例えばマウス）のクリック操作によって行われる。なお、来館者の希望にもとづいて、美術館の職員が操作するようにしてもよい。
【０１３９】
来館者によって撮影許可継続ボタンが選択（押下）された場合には、課金登録サーバ５０は、撮影の許可状態を継続するため、ここでの撮影許可中解除処理を終了する（ステップＳ５０５）。なお、このような処理がなされるのは、例えば、退館を取りやめて館内に戻ることとなったときや、何らかの理由により一時的に退館するときなどが考えられる。
【０１４０】
また、来館者によって撮影許可終了ボタンが選択（押下）された場合には（ステップＳ５０５のＹ）、課金登録サーバ５０は、ＩＣタグリーダライタ４０からディジタル撮影装置１０のＩＣタグに向けて、撮影許可の設定解除を指示するための「撮影許可済信号」を送信する（ステップＳ５０６）。
【０１４１】
ディジタル撮影装置１０は、ＩＣタグ機能部３０にて「撮影許可済信号」を受信すると（ステップＳ５０７）、信号制御部３１は、記憶部３２に格納されている撮影可否を「撮影許可済」に変更する（ステップＳ５０８）。
【０１４２】
ＩＣタグ機能部３０は、撮影可否を「撮影許可済」に変更すると、ＩＣタグリーダライタ４０に対して「撮影許可済完了信号」を送信する（ステップＳ５０８）。
【０１４３】
なお、この例では、ディジタル撮影装置１０のＩＣタグ機能部３０に向けて「撮影許可済信号」を送信してから、一定時間が経過してもＩＣタグリーダライタ４０にて「撮影許可済完了信号」が受信されなかった場合には（ステップＳ５０９のＮ）、ステップＳ５０６の処理に戻る。
【０１４４】
ＩＣタグリーダライタ４０は、「撮影許可済完了信号」を受信すると（ステップＳ５０９のＹ）、課金登録サーバ５０に「撮影許可済完了信号」を送信する（ステップＳ５１０）。
【０１４５】
「撮影許可済完了信号」を受信すると、課金登録サーバ５０は、該当するディジタル撮影装置１０のステータス情報の撮影可否を「撮影許可済」に変更し、変更結果を課金登録サーバ５０が備える表示装置の表示画面に表示する（ステップＳ５１１）。具体的には、「撮影許可を解除しました」などのようにして、変更結果を表示するようにすればよい。
【０１４６】
次に、本例におけるディジタル撮影装置１０のＩＣタグ（具体的には記憶部３２）に格納されているステータス情報と、課金登録サーバ５０に格納されているステータス情報（具体的にはディジタル撮影装置管理情報）の変化の例を説明する。
【０１４７】
図１３は、ステータス情報の遷移状態の例を示す説明図である。まず、図１３にて、撮影可否が「否」のディジタル撮影装置１０が美術館に入館したあと、退館した場合のステータス情報の遷移状態について説明する。
【０１４８】
登録・課金処理（図５参照）で示したように、撮影可否が「否」のディジタル撮影装置１０の入館前は、課金登録サーバ５０とディジタル撮影装置１０のＩＣタグとに格納されているステータス情報における撮影状態は、ともに「通常撮影状態」となっている。
【０１４９】
この状態で、入館時にディジタル撮影装置１０をチェック（ＩＣタグリーダライタ４０を用いたステータス情報の確認）すると、撮影可否が「否」なので、機能制限処理（図９参照）で示したように、課金登録サーバ５０とディジタル撮影装置１０のＩＣタグとに格納されているステータス情報が示す撮影状態は、ともに「機能制限中」に変更する。なお、撮影可否はともに「否」のままである。入館中も同じ状態である。
【０１５０】
そして、退館時にディジタル撮影装置１０をチェックし、機能制限解除処理（図１０参照）で示したように、課金登録サーバ１０とディジタル撮影装置１０のＩＣタグとに格納されているステータス情報が示す撮影状態は、ともに「通常撮影状態」となる。ただし、撮影可否は「否」のままで変更しない。
【０１５１】
また、入館中はディジタル撮影装置１０の撮影状態が「機能制限中」になるので、課金登録サーバ５０にて、ディジタル撮影装置管理情報に含まれる各ステータス情報にもとづいて、現在入館中で「撮影制限中」のディジタル撮影装置の個数を導出したり、撮影者情報から現在「撮影制限中」で入館中の来館者のリストを表示したりすることが容易にできる。従って、美術館側にて、現在入館中で「撮影制限中」のディジタル撮影装置の個数や、「撮影制限中」で入館中の来館者を容易に把握することができる。
【０１５２】
図１４は、ステータス情報の遷移状態の他の例を示す説明図である。次に、図１４にて、撮影可否が「可」の状態のディジタル撮影装置１０が入館したあと、退館した場合のステータス情報の遷移状態について説明する。
【０１５３】
登録・課金処理（図５参照）で示したように、入館前の課金登録サーバ５０とディジタル撮影装置１０のＩＣタグとに格納されているステータス情報が示す撮影状態は、ともに「通常撮影状態」となっており、撮影可否が「可」となっている。
【０１５４】
この状態で入館時にディジタル撮影装置１０をチェックすると、撮影可否が「可」なので、撮影許可処理（図１１参照）で示したように、課金登録サーバ５０とディジタル撮影装置１０のＩＣタグにおける撮影状態は、ともに「通常撮影中」のままで、撮影可否を「撮影許可中」に変更する。入館中も同じ状態である。
【０１５５】
そして、退館時にディジタル撮影装置１０をチェックし、撮影許可解除処理（図１２参照）で示したように、課金登録サーバ５０とディジタル撮影装置１０のＩＣタグにおける撮影状態は、ともに「通常撮影状態」のままとなるが、撮影可否が「撮影許可済」に変更される。
【０１５６】
また、入館中は、ディジタル撮影装置１０の撮影可否が「撮影許可中」となるので、課金登録サーバ５０にて現在入館中で「撮影許可中」のディジタル撮影装置の個数を導出したり、撮影者情報から現在「撮影許可中」で入館中の来館者のリストを表示したりすることが容易にできる。従って、美術館側にて、現在入館中で「撮影許可中」のディジタル撮影装置の個数や、「撮影許可中」で入館中の来館者を容易に把握することができる。
【０１５７】
さらに、撮影可否が、課金前は「否」、課金後入館前は「可」、課金後入館中は「撮影許可中」、課金後入館しその後に退館した後は「撮影許可済」となっているので、課金登録サーバ５０が個体管理情報にもとづく集計処理を行うことで、そのぞれの状態の来館者の数や、その来館者に関する情報を容易に把握することができる。
【０１５８】
以上に説明したように、上述した実施の形態では、ディジタル撮影装置１０にＩＣタグ（ＩＣタグ機能部３０）を実装させ、そのＩＣタグにディジタル撮影装置１０の個体識別符号を登録しておく構成としたので、ＩＣタグリーダライタ４０で無線通信を用いて外部から自動的にディジタル撮影装置１０の個体識別符号を取得することができ、ディジタル撮影装置１０の個体識別を外部から無線通信手段を用いて容易に行うことができる。
【０１５９】
また、上述したように、ディジタル撮影装置１０に実装させたＩＣタグ（ＩＣタグ機能部３０）に現状のステータス情報を保存する構成としたので、外部からＩＣタグリーダライタ４０で無線通信を用いて自動的に当該ステータス情報を取得することができ、ディジタル撮影装置１０における現状の撮影機能のステータス（撮影可否の状態）を、外部で認識することができるようになる。
【０１６０】
また、上述したように、ディジタル撮影装置１０にＩＣタグ（ＩＣタグ機能部３０）を実装させ、外部からの無線通信手段による機能制限や機能制限解除を示す情報の受信に応じて、ディジタル撮影装置１０にて機能制限や機能制限解除を実行する構成としたので、外部から、ディジタル撮影装置１０に対して機能制限信号や機能制限解除信号を送信することによって、ディジタル撮影装置１０の機能を制限したり、解除したりすることができるようになる。
【０１６１】
また、上述したように、美術館などの施設に課金登録サーバ５０を設置し、ディジタル撮影装置１０の個体識別符号や撮影者氏名などの情報を、例えば来館者の入力操作によって課金登録サーバ５０に登録させるとともに、来館者に課金を行った情報を課金登録サーバ５０に記憶しておき、課金済のディジタル撮影装置１０を所持して入館する際に、そのディジタル撮影装置１０の個体識別符号に対応付けされている課金情報もとづいて課金の有無を判断し、課金の有無に応じて撮影機能を制限する構成としたので、美術館の館内での撮影を許容する代償として課金を行うことができるようになり、またフラッシュ撮影の多用を抑制することができるようになる。さらに、美術館などの施設において、撮影者に対して事前に課金し、課金していない場合は撮影機能を制限することができ、課金することを条件にディジタル撮影装置１０の利用を許可するサービスを容易に行うことができるようになる。よって、そのようなサービスを実施することにより、美術館にとっての新たな収入源を確保することができるようになるとともに、現状の美術館などで問題となっている、フラッシュ撮影の多用による美術品の劣化や、館内での撮影による美術本の販売低下による収入減などを抑えることができるようになる。
【０１６２】
さらに、上述した実施の形態では、課金登録サーバ５０にて、ディジタル撮影装置１０のステータス情報を管理する構成としているので、ディジタル撮影装置１０を携帯している入館中の来館者のステータスを迅速かつ容易に把握することができる。また、課金をして撮影可否が「可」となった来館者が一度入館した場合、そのステータス情報を保持しておくことにより、過去に入館した者であるか否かを判別することができる。よって、ディジタル撮影装置１０を携帯して入館した入館者の人数や、課金をして撮影可否が「可」となって入館した者が過去に入館した者であるか否かなどの情報を、容易に把握することができるようになる。
【０１６３】
特許文献４（特開２０００−３３３２６６号公報）には、ビデオカメラなどの電子機器にＩＣカード等のオプションパーツを搭載し、電子機器の電源を切る等の利用制限を行うことが開示されている。しかし、特許文献４に記載された技術では、完全な利用規制を行うため、電源をオフ切るようにしている。これに対して、上述した実施の形態では、課金の有無に応じて撮影機能の制限を行うか否か判定し、課金済であれば制限を行わず、課金されていなければ制限するようにしている。よって、美術館の館内での撮影を許容する代償として課金を行うことができるようになり、またフラッシュ撮影の多用を抑制することができるのである。また、上述した実施の形態では、携帯端末（ＩＣタグリーダライタ４０）を用いてディジタル撮影装置１０との間の情報の送受を行うようにしているので、来館者が所持しているディジタル撮影装置１０との間で容易かつ確実に情報の送受を行うことができる。
【０１６４】
なお、上述した実施の形態では、ディジタル撮影装置１０に実装されたＩＣタグ（ＩＣタグ機能部２０）に、ディジタル撮影装置１０自体の所有者である撮影者の氏名や、現在の撮影状態などを記憶させておくため、「撮影者氏名」、「個体識別符号」、「撮影可否」、「撮影状態」を記憶させる構成としていたが、課金登録サーバ５０では、「個体識別符号」を用いてディジタル撮影装置１０を識別するため、ディジタル撮影装置１０に備えられたＩＣタグには最低限の情報である「個体識別符号」のみを入れておくようにしてもよい。ただし、その場合は、ディジタル撮影装置１０の所有者を示す撮影者氏名や、撮影状態などの情報は、課金登録サーバ５０を参照して確認する必要が生じる。
【０１６５】
また、上述した実施の形態では、美術館のビジネスとして事前にディジタル撮影装置管理情報の登録や課金を行い、その結果にもとづいてディジタル撮影装置１０の撮影機能を制限するか否かなどを例えば来館者に判断させ、判断結果を受けたことに応じて撮影機能の制限やその制限の解除を行う構成としていたが、来館者の判断を待つことなく、課金の有無などの判断結果に応じて自動的に撮影機能の制限やその制限の解除を行うようにしてもよい。具体的には、上述したステップＳ２０５、ステップＳ３０５、ステップＳ４０５、ステップＳ５０５の処理を行わない構成とされていてもよい。
【０１６６】
また、上述した実施の形態では、美術館のビジネスとして事前にディジタル撮影装置管理情報の登録や課金を行い、その結果にもとづいてディジタル撮影装置１０の撮影機能を制限するか否かなどを例えば来館者に判断させる構成としていたが、そのようなプロセスを省き、単純にゲートを通過する際に、強制的にディジタル撮影装置１０の撮影機能を制限するように構成してもよい。
【０１６７】
図１５は、強制的にディジタル撮影装置１０の機能を制限する場合におけるディジタル撮影装置管理システム２００の概略を示す概念図である。なお、以下の説明において、上述した図１に示したシステム１００と同様の構成をなす部分については、同一の符号を付与してその詳細な説明は省略する。
【０１６８】
図１５に示すように、この例では、撮影を許可できない施設（例えば美術館）への出入口に、ゲート型のＩＣタグリーダライタ４１を設け、ＩＣタグリーダライタ４１に機能制限／解除サーバ５１を接続しておく。機能制限／解除サーバ５１は、「機能制限」あるいは「機能制限解除」の判定のみを行なう。
【０１６９】
ＩＣタグリーダライタ４１は、上述したＩＣタグリーダライタ４０と同様の機能を有する。また、機能制限／解除サーバ５１は、上述した課金登録サーバ５０における「機能制限」および「機能制限解除」を行うための機能と同様の機能を有する。
【０１７０】
この例では、ディジタル撮影装置１０がＩＣタグリーダライタ４１を通過する際に、ＩＣタグリーダライタ４１が、ディジタル撮影装置１０の個体識別符号を読み込み、機能制限／解除サーバ５１に対して「機能制限信号」を送信する。
【０１７１】
機能制限／解除サーバ５１は、「機能制限信号」を受信すると、ディジタル撮影装置１０の撮影機能を制限させるための処理を実行する。なお、電波の状態が良くないなどの理由によって、ディジタル撮影装置１０から「機能制限完了信号」を受け取れなかった場合には、ブザーなどを鳴らして、再度通過を促すようにすればよい。
【０１７２】
また、機能制限されたディジタル撮影装置１０が外に出る際に、「機能制限解除」を行う。このように、機能制限や制限解除の際の処理を簡略化するようにすれば、より簡単にディジタル撮影装置１０の機能制限などを行うことが可能となる。
【０１７３】
また、上述した実施の形態では、ディジタル撮影装置１０の撮影機能の制限を行う際に、シャッター機能とフラッシュ機能とをともにオフ状態とするように構成していたが、フラッシュ機能のみをオフ状態とするようにしてもよい。このように構成すれば、フラッシュを用いた撮影を完全に防止することができ、フラッシュを用いない撮影は課金を条件に許容することができるようになる。また、シャッター機能とフラッシュ機能とをともにオフ状態とするか、フラッシュ機能のみをオフ状態とするかを、例えば来館者に選択させるようにしてもよい。この場合、シャッター機能とフラッシュ機能とをともにオフ状態とする場合は課金せず、フラッシュ機能のみをオフ状態とする場合は比較的低い金額を課金し、フラッシュ機能を有効にした撮影を許可するときはフラッシュ機能を無効にした撮影を許容するときよりも高い金額を課金するようにすればよい。このように構成すれば、来館者の受けるサービスに応じて段階的に課金することができるようになる。なお、シャッター機能とフラッシュ機能とをともにオフ状態とするか、フラッシュ機能のみをオフ状態とするかを選択可能な構成とする場合には、「機能制限信号」、「機能制限指示信号」、「機能制限実施完了信号」、「機能制限解除信号」、「機能制限解除指示信号」、「機能制限解除実施完了信号」などの機能制限や解除のために用いられる信号を、それぞれ、シャッター機能の制限や解除用の信号と、フラッシュ機能の制限や解除用の信号の２種類設けるようにすればよい。また、撮影状態や撮影可否についても、シャッター機能とフラッシュ機能とをともにオフ状態とする場合と、フラッシュ機能のみをオフ状態とする場合とで区別可能に２種類の表記を行うようにすればよい。
【０１７４】
また、上述した実施の形態では、撮影機能の制限を行う施設として美術館を例に説明していたが、撮影機能を制限することが有効な施設などであれば、他の施設などであってもよい。例えば、軍事関連施設、企業の高度な技術ノウハウを持つ生産工場などで特に機密度が高いものが存在するような施設、受験会場、政府の関連施設、電車内、各種有料セミナーや有料展覧会の会場、競馬場のパドックなどが考えられる。
【０１７５】
すなわち、軍事関連施設や、特に機密度が高いものが存在するような施設において、取材者などが写真撮影できないように、その施設への立ち入り時に、上述したゲート型のＩＣタグリーダライタ４１を設けることにより、自動的にディジタル撮影装置による撮影機能を停止させることとして、撮影禁止施設への立ち入り時にディジタル撮影装置の機能を制限するようにすればよい。
【０１７６】
また、受験会場におけるディジタル撮影装置での撮影による問題用紙の不正コピーを防止したり、政府の関連施設におけるディジタル撮影装置での撮影による重要文書の不正撮影コピーを防止するために、上述したシステム１００，２００を適用することができる。
【０１７７】
また、電車などにおけるディジタル撮影装置による盗撮を防止するために、上述したシステム１００，２００を適用することができる。例えば、電車の入り口にゲート型のＩＣタグリーダライタ４１を設置し、電車内でのディジタル撮影装置の撮影機能を停止させるようにすればよい。
【０１７８】
また、各種有料セミナーや有料展覧会などの会場で、撮影禁止とする場合に、上述したシステム１００，２００を適用することができる。例えば、セミナーや展覧会の会場の入り口に、ゲート型のＩＣタグリーダライタ４１を設置し、会場内でのディジタル撮影装置の撮影機能を停止させるようにすればよい。
【０１７９】
さらに、フラッシュ撮影が禁止されている競馬場のパドックなどに、上述したシステム１００，２００を適用することができる。競馬場のパドックでフラッシュ撮影が禁止されているのは競走馬が驚いてしまうのを防止するためであるが、上述したシステム１００，２００を適用すれば、競馬場のパドックの観覧席でのディジタル撮影装置によるフラッシュ撮影を禁止することが可能となる。
【０１８０】
また、上述した各実施の形態においては特に言及していないが、ディジタル撮影装置管理システム１００，２００が備える各部は、システム１００が備える制御プログラム（ディジタル撮影装置管理プログラム）に従って上述した各種の処理を実行している。具体的には、例えば、ディジタル撮影装置管理プログラムは、ディジタル撮影装置１０を課金登録サーバ５０に管理させるためのディジタル撮影装置管理プログラムであって、ディジタル撮影装置管理システム１００，２００（具体的には課金登録サーバ５０）に、ＩＣタグに記憶されたステータス情報を取得するステップと、取得したステータス情報に含まれる個体識別符号が未登録であったことにもとづいて、当該取得したステータス情報を含むディジタル撮影装置管理情報を課金登録サーバ５０が備える記憶手段に登録するステップと、課金希望を受けたことに応じて、ディジタル撮影装置管理情報に含まれる課金状態を示す課金情報を課金済に変更するステップと、課金情報が示す課金状態に応じて撮影を許容するか否かを判定するステップと、ディジタル撮影装置管理情報に含まれている「撮影状態」に応じて撮影機能が制限されているか否かを判定するステップと、撮影を許容するか否かを判定結果または撮影機能が制限されているか否かの判定結果に応じて、ステータス情報を変更させるとともに、ディジタル撮影機能部２０に撮影機能の制限状態の設定変更を実行させるための信号を送信するステップとを、実行させるための制御プログラムである。
【産業上の利用可能性】
【０１８１】
本発明によれば、美術館、軍事関連施設、企業の高度な技術ノウハウを持つ生産工場などで特に機密度が高いものが存在するような施設、受験会場、政府の関連施設、電車内、各種有料セミナーや有料展覧会の会場、競馬場のパドックなどへの立ち入り時にディジタル撮影装置の機能を制限するために有用である。
【図面の簡単な説明】
【０１８２】
【図１】本発明の一実施の形態におけるディジタル撮影装置管理システムの概略を示す概念図である。
【図２】ＩＣタグ付きディジタル撮影装置の構成例を示すのブロック図である。
【図３】ディジタル撮影装置のＩＣタグに格納されるステータス情報の例を示す説明図である。
【図４】ＩＣタグリーダライタの構成例を示すブロック図である。
【図５】登録・課金処理の例を示すフローチャートである。
【図６】課金登録サーバに登録されているディジタル撮影装置管理情報の例を示す説明図である。
【図７】課金登録サーバに登録される詳細ステータス情報の例を示す説明図である。
【図８】表示画面の例を示す説明図である。
【図９】機能制限処理の例を示すフローチャートである。
【図１０】機能制限解除処理の例を示すフローチャートである。
【図１１】撮影許可処理の例を示すフローチャートである。
【図１２】撮影許可中解除処理の例を示すフローチャートである。
【図１３】ステータス情報の遷移状態の例を示す説明図である。
【図１４】ステータス情報の遷移状態の他の例を示す説明図である。
【図１５】他の実施の形態におけるディジタル撮影装置管理システムの概略を示す概念図である。
【符号の説明】
【０１８３】
１０                    ＩＣタグ付きディジタル撮影装置
２０                    ディジタル撮影機能部
２１                    表示部
２２                    撮影機能部
２３                    信号制御部
２４                    記憶部
３０                    ＩＣタグ機能部
３１                    信号処理部
３２                    記憶部
３３                    通信制御部
３４                    送受信部
４０，４１              ＩＣタグリーダライタ
５０                    課金登録サーバ
５１                    機能制限／解除サーバ
１００，２００          ディジタル撮影装置管理システム
【図１】
2006148534.tif 000003
【図２】
2006148534.tif 000004
【図３】
2006148534.tif 000005
【図４】
2006148534.tif 000006
【図５】
2006148534.tif 000007
【図６】
2006148534.tif 000008
【図７】
2006148534.tif 000009
【図８】
2006148534.tif 000010
【図９】
2006148534.tif 000011
【図１０】
2006148534.tif 000012
【図１１】
2006148534.tif 000013
【図１２】
2006148534.tif 000014
【図１３】
2006148534.tif 000015
【図１４】
2006148534.tif 000016
【図１５】
2006148534.tif 000017